(57)【要約】【課題】  マルチパス書き込み、シングルパス読み出しアーキテクチャを使用したシングル記録システムを提供する。【解決手段】  一実施形態において、磁気データ記憶システムは、隣接するデータトラックにおけるビットの中心がクロストラック方向の共通線に存在しないビットパターン磁気媒体と、その磁気媒体の隣接する少なくとも２つのデータトラックに連続してデータを書き込むように適合される、データトラックの幅よりも広い幅をトラック幅方向に有する書き込み要素を有する磁気ヘッドと、その磁気媒体の隣接する少なくとも２つのデータトラックからシングルパスで並行してデータを読み出すように適合されるトラック幅方向のデータトラックの幅よりも広い幅を有する読み出し要素と、磁気媒体に磁気ヘッドを通過させるための駆動機構と、磁気ヘッドに電気的に連結された、磁気ヘッドの動作を制御するためのコントローラと、を備える。【選択図】  図５Ａ
2013080552.tif 000002
【特許請求の範囲】
【請求項１】
磁気媒体の隣接する少なくとも２つのデータトラックからシングルパスで並行してデータを読み出すように適合させた読み出し要素を備え、
前記読み出し要素が、１データトラックの幅よりも大きな幅をトラック幅方向に有し、前記隣接する少なくとも２つのデータトラックが、前記隣接する少なくとも２つのデータトラックからの任意の２ビットの中心がクロストラック方向の共通線沿いに存在しないように、ずらした向きで配置されたビットを含む、磁気ヘッド。
【請求項２】
前記磁気媒体から読み出される前に前記磁気媒体の前記隣接する少なくとも２つのデータトラックに連続してデータを書き込むように適合させた書き込み要素をさらに備え、
前記書き込み要素が、前記トラック幅方向に前記磁気媒体の前記１つのデータトラックの幅よりも大きな幅を有し、前記書き込み要素が、前記隣接する少なくとも２つのデータトラックにまたがって前記ずらして配置されたビットにデータを書き込む、請求項１に記載の磁気ヘッド。
【請求項３】
請求項２に記載の少なくとも１つの磁気ヘッドと、
前記磁気媒体と、
前記磁気媒体に前記少なくとも１つの磁気ヘッドを通過させるための駆動機構と、
前記少なくとも１つの磁気ヘッドに電気的に連結され、前記少なくとも１つの磁気ヘッドの動作を制御するコントローラと、
を備える、磁気データ記憶システム。
【請求項４】
前記コントローラが、前記データを前記隣接する少なくとも２つのデータトラックに書き込む順序と、前記データを隣接する少なくとも２つのデータトラックから読み出す順序と、のうちの少なくとも１つに基づいて前記隣接する少なくとも２つのデータトラックに書き込まれる少なくとも２つのグループに前記データを論理的に分割するように適合される、請求項３に記載の磁気データ記憶システム。
【請求項５】
隣接するデータトラック内のビットの中心がクロストラック方向の共通線に存在しないビットパターン磁気媒体と、
少なくとも１つの磁気ヘッドと、
前記磁気媒体に前記少なくとも１つの磁気ヘッドを通過させるための駆動機構と、
前記少なくとも１つの磁気ヘッドに電気的に連結され、前記少なくとも１つの磁気ヘッドの動作を制御するコントローラと、
を備え、
前記少なくとも１つの磁気ヘッドが、
データを前記磁気媒体の隣接する少なくとも２つのデータトラックに連続して書き込むように適合させ、データトラックの幅よりも大きな幅をトラック幅方向に有する書き込み要素と、
前記磁気媒体の前記隣接する少なくとも２つのデータトラックからシングルパスで並行してデータを読み出すように適合させ、データトラックの前記幅よりも大きな幅を前記トラック幅方向に有する読み出し要素と、
を備える、磁気データ記憶システム。
【請求項６】
前記コントローラが、前記データを前記隣接する少なくとも２つのデータトラックに書き込む順序と、前記データを隣接する少なくとも２つのデータトラックから読み出す順序と、のうちの少なくとも１つに基づいて、前記磁気媒体に書き込まれるデータを、前記隣接する少なくとも２つのデータトラックに書き込まれる少なくとも２つのグループに論理的に分割するように適合される、請求項５に記載の磁気データ記憶システム。
【請求項７】
前記コントローラが、前記磁気媒体に書き込まれるデータを、前記磁気媒体の前記隣接する少なくとも２つのトラックに連続して書き込まれ、前記磁気媒体の前記隣接する少なくとも２つのデータトラックからシングルパスで読み出されるように編成するように適合される、請求項５に記載の磁気データ記憶システム。
【請求項８】
前記書き込み要素が、第２のデータトラックに重なりながら第１のデータトラックを書き込むものであり、前記第１のデータトラックが前記第２のデータトラックに隣接している、請求項５に記載の磁気データ記憶システム。
【請求項９】
前記書き込み要素が、第３のデータトラックに重なりながら前記第２のデータトラックを書き込むものであり、前記第２のデータトラックが前記第３のデータトラックに隣接している、請求項８に記載の磁気データ記憶システム。
【請求項１０】
前記読み出し要素が、前記隣接する少なくとも２つのデータトラックの上に配置されながら、前記隣接する少なくとも２つのデータトラックを並行して読み出すものである、請求項５に記載の磁気データ記憶システム。
【請求項１１】
前記磁気データ記憶システムが、シングル磁気記録を用いてデータを記憶する、請求項５に記載の磁気データ記憶システム。
【請求項１２】
磁気媒体に書き込まれるデータを受け取ることであって、前記磁気媒体内の隣接するトラックビットが、前記隣接するトラックビットのどの２つの中心もクロストラック方向の共通線沿いに存在しないようにずらした向きで配置されることと、
前記磁気媒体の隣接するデータトラックに連続して書き込まれる前記データを、前記隣接するデータトラックから読み戻されたときに再現可能であるように編成することと、
前記データを前記隣接するデータトラックに書き込むことであって、隣接するデータトラック内のデータが整列されるように前記データが書き込まれることと、
を含む方法。
【請求項１３】
前記データを編成することが前記データを第１のグループと第２のグループとに分割することを含み、
前記データが、
前記第１のグループデータを第１のパスで第１のデータトラックに書き込むことと、
前記第２のグループデータを第２のパスで第２のデータトラックに書き込むことであって、前記第１のデータトラックが前記第２のデータトラックに隣接しており、かつ前記第１のグループデータのいずれもが前記第２のグループデータのうちのいずれかを有するクロストラック方向の共通線に存在しないことと、
を含む、請求項１２に記載の方法。
【請求項１４】
書き込み要素を前記第２のデータトラックに重ねながら前記第１のデータトラックを書き込むことをさらに含む、請求項１３に記載の方法。
【請求項１５】
前記書き込み要素を第３のデータトラックに重ねながら前記第２のデータトラックを書き込むことであって、前記第３のデータトラックが前記第１のデータトラックとは反対側にある前記第２のデータトラックに隣接することさらに含む、請求項１４に記載の方法。
【請求項１６】
前記第１のデータトラックから前記第１のグループデータを、前記第２のデータトラックから前記第２のグループデータをシングルパスで読み出すことをさらに含む、請求項１３に記載の方法。
【請求項１７】
前記読み出すことが、磁気ヘッドのセンサー要素を使用して実行され、前記センサー要素の幅が、少なくとも、２つのデータトラックのトラック幅方向の幅程度である、請求項１６に記載の方法。
【請求項１８】
前記センサー要素が、前記第１および第２のデータトラックの上に配置されながら、前記第１および第２のデータトラックを読み出す、請求項１７に記載の方法。
【請求項１９】
前記隣接するデータトラックから前記データをシングルパスで並行して読み出すことをさらに含む、請求項１２に記載の方法。
【請求項２０】
前記書き込みが、磁気ヘッドの書き込み要素を使用して実行され、前記書き込み要素の幅が、データトラックの幅よりもトラック幅方向に広い、請求項１２に記載の方法。
【請求項２１】
前記書き込み要素の前記幅が、少なくとも、２つのデータトラックのトラック幅方向の幅と同程度である、請求項２０に記載の方法。
【請求項２２】
前記データを編成することが、前記データを、前記データを前記隣接する少なくとも２つのデータトラックに書き込む順序と、前記データを隣接する少なくとも２つのデータトラックから読み出す順序と、のうちの少なくとも１つに基づいて、隣接する少なくとも２つのデータトラックに書き込まれる少なくとも２つのグループに論理的に分割することを含む、請求項１２に記載の方法。
【請求項２３】
前記データが、シングル磁気記録を使用して前記隣接するデータトラックに連続して書き込まれる、請求項１２に記載の方法。
【請求項２４】
前記磁気媒体がビットパターンである、請求項１２に記載の方法。
【発明の詳細な説明】
【技術分野】
【０００１】
本出願は、磁気記憶媒体に関し、さらに詳しくは、マルチパス書き込み、シングルパス読み出しアーキテクチャを使用したシングル記録システム（shingled recording system）に関する。
【背景技術】
【０００２】
磁気記憶技術がハード・ディスク・ドライブ（ＨＤＤ）などの磁気媒体の容量を増やすことを求められるにつれて、データトラックの間隔がますます狭まってきている。これにより、データの書き込みに使用される構成要素（書き込み要素）技術とデータの読み戻しに使用される構成要素（センサー要素）技術の両方が制約を受ける。データを書き込む場合には、この制約のために、書き込みが実際のデータトラックよりも広いパスで実行されるシングル磁気記録（ＳＭＲ：shingled magnetic recording）に至り、ライターが１トラック位置分ずれて、書き込みが再度実行される。
【０００３】
ＳＭＲとは、他の従来設計よりも高い面密度を提供する記録システムのことである。従来のＳＭＲシステムでは、シングル配置でトラックを書き込むのに磁気ヘッドの主磁極（main pole）が使用され、新しいトラックが記録されると、以前に記録されたトラックの一部分を徐々に覆っていくことからこのような説明的な名前が付けられており、トラックの重なりによって記録が実行される。結果的に、実際のトラックは、主磁極のトラックエッジ部分を使用して記録されるので、主磁極のトラックエッジの記録特性が、システム全体の性能をある意味決めている。すなわち、クロストラック方向の磁場の勾配を改善し、さらにダウントラック方向に磁場の勾配を改善することが、特にトラックエッジに対応する磁気ヘッドの位置で非常に有用である。
【０００４】
ビットパターン記録（ＢＰＲ）技術は本来、高いデータトラック密度（ＴＰＩ）構成を用いる低ビットアスペクト比（ＢＡＲ）技術である。サーボトラック誤登録、書き込みヘッドトラック幅の寸法、読み出しヘッドトラック幅の寸法を低減することにより、ＢＰＲ媒体と、その高いＴＰＩ構成をサポートする。マイクロアクチュエータおよび密封ドライブなど、サーボトラック誤登録を改良するための技術オプションが提供されている。同様に、書き込みヘッドのトラック幅寸法の低減は、記録された最終データトラック幅よりも書き込みトラック幅の方が大きいシングル記録の導入によって軽減され得る。ただし現時点では、読み出しトラック幅の低減要件を緩和する同様の解決策が存在しない。
【発明の概要】
【課題を解決するための手段】
【０００５】
一実施形態では、磁気ヘッドが、磁気媒体の隣接する少なくとも２つのデータトラックからシングルパス（single pass）で並行してデータを読み出すように適合させた読み出し要素を備え、読み出し要素は、１データトラックの幅よりも大きな幅をトラック幅方向に有し、隣接する少なくとも２つのデータトラックは、それら隣接する少なくとも２つのデータトラックからの任意の２ビットの中心がクロストラック方向の共通線沿いに存在しないように、ずらした向きで配置されたビットを含む。
【０００６】
別の実施形態では、磁気データ記憶システムが、ビットパターン磁気媒体を備えており、隣接するデータトラックにおけるビットの中心が、クロストラック方向の共通線に存在せず、少なくとも１つの磁気ヘッドが、磁気媒体の隣接する少なくとも２つのデータトラックにデータを連続して書き込むように適合させた書き込み要素を有する。この書き込み要素は、データトラックの幅よりも大きな幅をトラック幅方向に有し、かつ磁気媒体の隣接する少なくとも２つのデータトラックから並行してデータをシングルパスで読み出すように適合させた読み出し要素を有する。この読み出し要素は、データトラックの幅よりもトラック幅方向に大きな幅と、磁気媒体に少なくとも１つの磁気ヘッドを通過させるための駆動機構と、少なくとも１つの磁気ヘッドに電気的に連結された、少なくとも１つの磁気ヘッドの動作を制御するためのコントローラと、を有する。
【０００７】
別の実施形態によれば、方法は、磁気媒体に書き込まれるデータを受け取ることであって、磁気媒体内の隣接するトラックビットが、隣接するトラックビットのどの２つの中心もクロストラック方向の共通線沿いに存在しないようにずらした向きで配置されることと、磁気媒体の隣接するデータトラックに連続して書き込まれるデータを、隣接するデータトラックから並行して読み戻されたときにデータが再生可能であるように編成することと、データを隣接するデータトラックに連続して書き込むことであって、隣接するデータトラック内のデータがずれて配列されるようにそのデータが書き込まれることと、を含む。
【０００８】
これらの実施形態のいずれも、ディスク駆動装置などの磁気データ記憶システムに実装されてよく、磁気データ記憶システムは、磁気ヘッドと、磁気記憶媒体（ハードディスクなど）にヘッドを通過させるための駆動機構と、ヘッドの動作を制御するための、ヘッドに電気的に連結された制御ユニットと、を備えてもよい。
【０００９】
本発明の他の態様および利点が、図面を合わせて参照した場合に本発明の原理などを示す以下の詳細な説明から明らかになるであろう。
【図面の簡単な説明】
【００１０】
【図１】磁気記録ディスク駆動装置の簡略図である。
【図２Ａ】水平記録方式を利用した記録媒体の断面の概略図である。
【図２Ｂ】図２Ａに示す水平記録用の従来型磁気記録ヘッドと記録媒体との組合せの概略図である。
【図２Ｃ】垂直記録方式を用いた磁気記録媒体である。
【図２Ｄ】片側での垂直記録用の記録ヘッドと記録媒体との組合せの概略図である。
【図２Ｅ】媒体の両側で別々に記録するように適合させた記録機器の概略図である。
【図３Ａ】螺旋コイルを有する垂直磁気ヘッドの一実施形態の断面図である。
【図３Ｂ】螺旋コイルを有するピギーバック磁気ヘッドの一実施形態の断面図である。
【図４Ａ】ループコイルを有する垂直磁気ヘッドの一実施形態の断面図である。
【図４Ｂ】ループコイルを有するピギーバック磁気ヘッドの一実施形態の断面図である。
【図５Ａ】一実施形態に従って書き込まれているデータトラックを示す。
【図５Ｂ】一実施形態に従って書き込まれているデータトラックを示す。
【図５Ｃ】一実施形態に従って読み出されている複数のデータトラックを示す。
【図６Ａ】一実施形態に従って書き込まれているデータトラックを示す。
【図６Ｂ】一実施形態に従って読み出されている複数のデータトラックを示す。
【図７】一実施形態にかかる方法のフローチャートを示す。
【発明を実施するための形態】
【００１１】
以下の説明は、本発明の一般原理を例示するためのものであり、本明細書で請求される発明の概念を制限することを意図するものでない。さらに、本明細書に記載された特定の特徴は、各種可能な組合せおよび順列の各々において、他の記載された特徴と組み合わせて使用することができる。
【００１２】
本明細書において特に定められない限り、すべての用語に対し、本明細書から示唆される意味、ならびに当業者によって理解され、および／または辞書、論文などで定義されている意味を含む、それらの最も広い可能な解釈が与えられるものとする。
【００１３】
また、本明細書および添付の請求項で使用されているとおり、単数形「ａ」、「ａｎ」および「ｔｈｅ」は、特に明記されない限り、複数の指示対象を含む。
【００１４】
以下の説明は、ディスクベースの記憶システムおよび／または関連するシステムおよび方法、ならびにそれらの動作および／または構成部品のいくつかの好適な実施形態を開示する。
【００１５】
一般的な一実施形態では、磁気ヘッドが、磁気媒体の隣接する少なくとも２つのデータトラックからシングルパス（single pass）で並行してデータを読み出すように適合させた読み出し要素を備える。この読み出し要素は、トラック幅方向の１データトラックの幅よりも大きな幅を有し、隣接する少なくとも２つのデータトラックは、それら隣接する少なくとも２つのデータトラックからの任意の２ビットの中心がクロストラック方向の共通線沿いに存在しないように、ずらした向きで配置されたビットを含む。
【００１６】
別の一般的な実施形態では、磁気データ記憶システムが、ビットパターン磁気媒体を備えており、隣接するデータトラックにおけるビットの中心が、クロストラック方向の共通線に存在せず、少なくとも１つの磁気ヘッドが、磁気媒体の隣接する少なくとも２つのデータトラックにデータを連続して書き込むように適合させた書き込み要素を有する。この書き込み要素は、データトラックの幅よりも大きな幅をトラック幅方向に有し、かつ磁気媒体の隣接する少なくとも２つのデータトラックから並行してデータをシングルパスで読み出すように適合させた読み出し要素を有する。この読み出し要素は、トラック幅方向のデータトラックの幅よりも大きな幅と、磁気媒体に少なくとも１つの磁気ヘッドを通過させるための駆動機構と、少なくとも１つの磁気ヘッドに電気的に連結された、少なくとも１つの磁気ヘッドの動作を制御するためのコントローラと、を有する。
【００１７】
別の一般的な実施形態によれば、方法は、磁気媒体に書き込まれるデータを受け取ることであって、磁気媒体内の隣接するトラックビットが、隣接するトラックビットのどの２つの中心もクロストラック方向の共通線沿いに存在しないようにずらした向きで配置されることと、磁気媒体の隣接するデータトラックに連続して書き込まれるデータを、隣接するデータトラックから並行して読み戻されたときにデータが再生可能であるように編成することと、データを隣接するデータトラックに連続して書き込むことであって、隣接するデータトラック内のデータがずれて配列されるようにそのデータが書き込まれることと、を含む。
【００１８】
ここで図１を参照すると、本発明の一実施形態にかかるディスクドライブ１００が示されている。図１に示すとおり、少なくとも１つの回転型磁気ディスク１１２が、スピンドル１１４で支持されており、ディスク・ドライブ・モーター１１８によって回転する。各ディスク上の磁気記録は、ディスク１１２上の同心データトラック（図示せず）の環状パターンという形態であるのが典型的である。
【００１９】
少なくとも１つのスライダ１１３が、ディスク１１２の近くに位置付けられており、各スライダ１１３は、１つもしくは複数の磁気読み出し／書き込みヘッド１２１を支持する。所望のデータが記録され、かつ／または書き込まれるディスクの様々なトラックにヘッド１２がアクセスできるように、ディスクの回転に伴い、スライダ１１３がディスク表面１２２の上を内外に放射状に移動する。各スライダ１１３は、サスペンション１１５によってアクチュエータアーム１１９に取り付けられている。サスペンション１１５は、ディスク表面１２２に対してスライダ１１３を付勢するわずかなバネ力を提供する。各アクチュエータアーム１１９は、アクチュエータ１２７に取り付けられている。図１に示すアクチュエータ１２７は、ボイス・コイル・モーター（ＶＣＭ）であってもよい。ＶＣＭは、一定の磁場内で移動可能なコイルを備え、コイルの移動方向および速度は、コントローラ１２９によって供給されるモーター電流信号によって制御される。
【００２０】
ディスク記憶システムの動作中、ディスク１１２の回転によって、スライダ１１３とディスク表面１２２との間で、スライダに対する上方への力または揚力を働かせる空気ベアリングが生成される。この空気ベアリングは、通常作動中にサスペンション１１５のわずかなバネ力とのバランスを保ち、スライダ１１３を、小さく略一定の間隔でディスク表面から離し、わずかに上で支持する。なお、いくつかの実施形態では、スライダ１１３がディスク表面１２２に沿ってスライドしてもよい。
【００２１】
ディスク記憶システムの各種構成要素の動作は、アクセス制御信号および内部クロック信号などの制御ユニット１２９によって生成される制御信号によって制御される。制御ユニット１２９は、論理制御回路と、記憶装置（メモリなど）と、マイクロプロセッサとを備えるのが典型的である。制御ユニット１２９は、制御信号を生成して、ライン１２３上のドライブモーター制御信号およびヘッド位置などの各種システム動作を制御し、ライン１２８上の制御信号を探す。ライン１２８上の制御信号は、スライダ１１３をディスク１１２上にある所望のデータトラックへと最適に動かし、位置付けるための所望の電流プロファイルを提供する。記録チャネル１２５を経て、読み出し／書き込みヘッド１２１との間で読み出しおよび書き込み信号が通信される。
【００２２】
典型的な磁気ディスク記憶システムに関する上記説明および図１の添付の具体例は、提示だけを目的とするものである。ディスク記憶システムが多数のディスクおよびアクチュエータを備え得ることと、および各アクチュエータがいくつかのスライダを支持し得ることは明らかなはずである。
【００２３】
当業者によって理解されるとおり、データを送受信するためのディスクドライブとホスト（一体型または外部）との間での通信のため、およびディスクドライブの動作を制御し、ホストにディスクドライブの状態を伝えるためのインタフェースが設けられてもよい。
【００２４】
典型的なヘッドでは、誘導書き込みヘッドが、１つもしくは複数の絶縁層（絶縁スタック）に組み込まれたコイル層を備えており、この絶縁スタックは、第１の極磁片層（pole piece layer）と第２の極磁片層との間に位置する。書き込みヘッドの空気ベアリング表面（ＡＢＳ）にあるギャップ層により、第１の極磁片層と第２の極磁片層との間にギャップが形成される。極磁片層は、背面ギャップで接続されてもよい。コイル層を通じて電流が伝導され、磁極で磁場を生み出す。これらの磁場は、回転磁気ディスク上の円形トラックなど、移動媒体上のトラックで磁場情報のビットを書き込むために、ＡＢＳにおけるギャップ全体を取り囲む。
【００２５】
第２の磁極層は、ＡＢＳからフレアポイントに延びている磁極前端部と、フレアポイントから背面ギャップまで延びているヨーク部とを有する。フレアポイントとは、第２の磁極がヨークを形成するために広がり（開き）始める箇所のことである。フレアポイントの配置は、記録媒体に情報を書き込むために生み出される磁場の大きさに直接影響する。
【００２６】
図２Ａは、図１に示す記録媒体など、例えば磁気ディスク記録システムと併用される従来の記録媒体を模式的に示している。この媒体は、媒体自体の平面に対して垂直あるいは平行な磁気インパルスを記録する目的で利用される。記録媒体、すなわちこの例における記録ディスクは、ガラスなど適切な非磁気素材による支持基板２００を基本的に備えており、適切な従来型磁気層による重層コーティング２０２が施されている。
【００２７】
図２Ｂは、好ましくは薄膜ヘッドであり得る従来の記録／再生ヘッド２０４と、図２Ａの記録媒体など従来の記録媒体との間の動作上の関係を示している。
【００２８】
図２Ｃは、図１に示すような磁気ディスク記録システムと併用される記録媒体の表面に対して略直角な磁気インパルスの向きを模式的に示している。このような垂直記録の場合、媒体は、高い磁気透過性を有する材料による下層２１２を備えるのが典型的である。下層２１２には、下層２１２に対して好ましくは高い保磁力を有する磁気素材の重層コーティング２１４が設けられる。
【００２９】
図２Ｄは、垂直ヘッド２１８と記録媒体との間の動作上の関係を示している。図２Ｄに示す記録媒体は、高透磁性下層２１２と、上図２Ｃに記載されている磁気素材の重層コーティング２１４との両方を備える。ただし、これらの層２１２および２１４の両方が適切な基板２１６に適用されている様子が示されている。層２１２と２１４と間には、「交換ブレーク」層あるいは「中間層」と呼ばれる追加層（図示せず）も存在するのが典型的である。
【００３０】
この構造では、垂直ヘッド２１８の磁極の間に延びている磁束線が還流して記録媒体の重層コーティング２１４に出入りし、記録媒体の高透磁性下層２１２は、磁束線に、媒体の表面と概ね直角の方向で重層コーティング２１４を通過させて、好ましくは下層２１２に対して高い保磁力を有する磁気素材の重層コーティング２１４に、媒体の表面と略直角の磁化軸を有する磁気インパルスという形態で情報を記録する。この磁束線は、柔らかい基底コーティング２１２によってヘッド２１８の戻り層（Ｐ１）へと向けられる。
【００３１】
図２Ｅは、基板２１６が自身の２つの対向する側に層２１２および２１４を保持する同様の構造を示しており、適切な記録ヘッド２１８が、媒体の各側にある磁気コーティング２１４の外面に隣接して位置付けられており、媒体の各側に記録できるようになっている。
【００３２】
図３Ａは、垂直磁気ヘッドの断面図である。図３Ａでは、ステッチ磁極（stitch pole）３０８で磁束を作成するために螺旋コイル３１０および３１２が使用され、ステッチ磁極３０８がその磁束を主磁極３０６に届ける。コイル３１０は、ページから外へ延びているコイルを示しており、コイル３１２は、ページへと延びているコイルを示している。ステッチ磁極３０８は、ＡＢＳ３１８から窪んでいてもよい。絶縁材３１６はコイルを囲んでおり、要素のうちのいくつかを支持し得る。構造の右側に矢印によって示すとおり、この媒体の進行方向に従って、媒体はまず、下側の戻り磁極３１４を通過し、次に、ラップ・アラウンド・シールド（図示せず）に接続され得るステッチ磁極３０８、主磁極３０６、トレーリングシールド３０４を通過して、最後に上側の戻り磁極３０２を通過する。これらの構成要素の各々は、ＡＢＳ３１８と接触する部分を有し得る。ＡＢＳ３１８は、構造の右側全体に示されている。
【００３３】
垂直書き込みは、ステッチ磁極３０８によって磁束を主磁極３０６に圧入し、ＡＢＳ３１８の方に位置付けられたディスクの表面へと移動させることによって成し遂げられる。
【００３４】
図３Ｂは、図３Ａのヘッドと同様の特徴を有するピギーバック磁気ヘッドを示している。２つのシールド３０４、３１４が、ステッチ磁極３０８および主磁極３０６の両側にある。また、センサーシールド３２２、３２４も示されている。センサー要素３２６は、センサーシールド３２２、３２４の間に位置付けられているのが典型的である。
【００３５】
図４Ａは、パンケーキ構成と呼ばれることもある環状コイル４１０を使用して、ステッチ磁極４０８に磁束を提供する一実施形態の概略図である。ステッチ磁極は、この磁束を主磁極４０６に提供する。この向きにおいて、下側の戻り磁極は任意である。絶縁材４１６がコイル４１０を囲んでおり、ステッチ磁極４０８と主磁極４０６とを支持し得る。ステッチ磁極は、ＡＢＳ４１８から窪んでいてもよい。構造の右側に矢印によって示されているとおり、この媒体の進行方向に従って、媒体はラップ・アラウンド・シールド（図示せず）に接続され得るステッチ磁極４０８、主磁極４０６、およびトレーリングシールド４０４を通過し、最後に上側の戻り磁極４０２を通過する（これらはすべて、ＡＢＳ４１８と接触する部分を有しても有しなくてもよい）。ＡＢＳ４１８は、構造の右側全体に示されている。トレーリングシールド４０４は、いくつかの実施形態で主磁極４０６と接触し得る。
【００３６】
図４Ｂは、周囲に巻きついてパンケーキコイルを形成する環状コイル４１０を備える図４Ａのヘッドと同様の特徴を有する別のタイプのピギーバック磁気ヘッドを示している。また、センサーシールド４２２、４２４も示されている。センサー要素４２６は、センサーシールド４２２、４２４の間に位置付けられているのが典型的である。
【００３７】
図３Ｂおよび図４Ｂでは、磁気ヘッドのＡＢＳ側でない側の付近に任意のヒーターが示されている。ヒーターは、図３Ａおよび図４Ａに示された磁気ヘッドに備わっていてもよい。このヒーターの位置は、突起が所望される箇所や、周囲の層の熱膨張係数などの設計パラメータに基づいて変わり得る。
【００３８】
シングル記録システムでは、ＨＤＤなどの記憶装置に記憶される新しいデータが、まずは、データが重ね合わせられないステージングまたはバッファ・データ・ゾーン領域に書き込まれる。このステージング・データ・ゾーン領域（staging date zone area）では、必要に応じてデータが操作および再編成され得る。シングル・データ・ゾーン領域（shingled data zone area）におけるデータの密度は、ステージング・データ・ゾーン領域における密度の約２倍よりも大きいのが典型的であり、ステージング・データ・ゾーン領域の記憶容量は、ドライブの総記憶容量の約１％から約５％で、残りの容量はシングル・データ・ゾーン領域に記憶されるのが典型的である。
【００３９】
シングル記録では、データが磁気媒体に重ね合わせて書き込まれるので、記憶装置ブロックに直接書き込むことができない。データはまず、（バッファゾーンとみなされ得る）ステージング・データ・ゾーン領域にステージングされ、シングル・データ・ゾーン領域に書き込むのに十分なデータが蓄積される。したがって、データは書き込みのためにステージングされていることから、従来のシステムと比較すると、このステージングステップがあるために、より高度な方法でデータが書き込まれ得る。
【００４０】
十分な量のデータがこのステージング・データ・ゾーン領域で収集された後、そのデータは所望に応じてフォーマットされ、シングルデータの大きなブロックでシングル・データ・ゾーン領域に改めて書き込まれる。当業者が本記述を読めば理解できるとおり、４ＫＢ、８ＫＢ、３２ＫＢ、６４ＫＢ、１２８ＫＢ、１ＭＢ、２ＭＢ、３２ＭＢなど、任意のサイズのブロックが使用され得る。一実施形態によれば、ビットパターン記録（ＢＰＲ）媒体は、図５Ａ〜図５Ｃに示すとおり、隣接するトラック内のビットがずれて配列されようにパターン化される。このジオメトリは、ハイパートラック記録ジオメトリと呼ばれることがあり、シングル磁気記録を使用してデータを記憶し得る。
【００４１】
図５Ａ〜図５Ｃの各々および本明細書の他の箇所で、ビットが円として表示されている。ただし、当業者によって理解されるとおり、個々のビットの実際の形状および寸法は、それらの箇所に描写されるものとは異なっていてもよい。ビットの実際の方向、サイズおよび形状は、一般に磁気媒体上で一貫していないことから、分かりやすくするため、どのビットの中心も、全体を通じてビットとしてのみ参照される。本明細書における各記述では、ビットがクロストラック方向に整列配置されていないものとして記載されている場合、それは、ビットの中心がクロストラック方向に整列配置されないということであり、当業者によって理解されるとおり、スキュー効果の原因となる。クロストラック方向に整列配置されていないことにより、２つ以上のトラック幅にまたがるリーダーによって読み出された場合の、隣接するトラックにおけるビット間の干渉が最小化され得る。
【００４２】
一実施形態にかかるステージング・データ・ゾーン領域はＢＰＲだが、重なり合ってはいない。このデータゾーン領域は、大きなブロックのシングルデータでシングル・データ・ゾーン領域に書き込む前にデータを論理的に編成する目的で使用される低密度の記憶域である。データは、シングルパス（single pass）に読み戻せる方法でステージング・データ・ゾーン領域に書き込まれる。データは、何度か再編成された後にシングル・データ・ゾーン領域に書き戻されるため、容易に操作できるはずである。
【００４３】
ステージング領域から書き込まれるデータは、図５Ａ〜図５Ｂに示すとおり、シングル・データ・ゾーン領域にある２つ（あるいはそれ以上）の隣接するトラックにまたがって符号化される。これは、２パス書き込み動作と呼ばれることもある。効率的なデータ転送のために、ステージングゾーン領域からシングル・データ・ゾーン領域に書き込まれるデータブロックの最小サイズは、各種実施形態に従って、２トラック全体分、あるいはそれ以上または以下のデータとして設定されてもよい。複数の書き込まれたトラックを後でシングルパスで読み戻すときにコードが機能するように、データトラック全体で誤り訂正コードおよびチャネルコードが削除されてもよい。さらには、ドライブ内の各シングルブロックが偶数のトラックを含む場合が最も効率的である。
【００４４】
ただし、奇数のトラックが何かの理由で有利である場合には、読み出しヘッドが一度に２つのトラックを読み出してもよいが、一実施形態において、１つのサブトラック上にあるデータが無視あるいは拒絶されて、奇数のデータトラックを許容し得ることに留意する必要がある。別の実施形態によれば、（シングル・トラック・フォーマットを使用して）最後の奇数トラックを別に扱うために、書き込み中のフォーマット処理が実行され得る。
【００４５】
図５Ａを参照すると、データをシングルトラックに書き込むのではなく、データが複数の隣接するデータトラックにまたがって書き込まれる。任意の隣接する２つのデータトラックにおけるビットは、その隣接する２つのデータトラックのどのビットの中心もクロストラック方向の共通線沿いに存在しないように、ずらした向きで配置される。すなわち、どの隣接する２つのデータトラックにおけるビットもずれているため、隣接する２つのトラックから同時にビットを読み込むときに、一方のビットからの干渉が他方のビットの読み出しに実質的な影響を及ぼさない。換言すれば、隣接する２つのトラックが書き込まれている場合に、第１のトラック内のビットが常に第２のトラック内のビットからずれて位置付けられているため、２つのビットの中心が、（両方のトラックにまたがるリーダーに対して）クロストラック方向に同時に表示されず、当業者によって理解されるとおり、スキュー効果の原因となる。
【００４６】
一実施形態では、磁気ヘッドが、隣接する２つのデータトラックにデータを書き込むための書き込み要素５０２を備える。例えば、書き込み要素５０２を１トラック分シフトさせた後に、第１のデータトラック５０６が書き込まれ、次に第２のデータトラック５０８が一続きで連続して書き込まれるなどし得る。書き込み要素５０２は、磁気媒体から読み出される前に、磁気媒体のうちの隣接する少なくとも２つのデータトラック５０６、５０８に連続してデータを書き込むように適合させてあってもよい。１つの手法では、ライターがデータの第１の部分を第１のトラックに書き込み、その後データの第２の部分を第２のトラックに書き込むようにデータが編成および解析され、第１および第２のトラックが並行して読み戻されると、データが論理的に編成されるようになっている。また、書き込み要素５０２は、磁気媒体内の１データトラックの幅ＴＷよりもトラック幅方向に大きな幅Ｗ１を有してもよい。この書き込み操作中、磁気媒体内の他のデータトラック５０４内のデータは影響を受けない。ただし、書き込み要素５０２の幅のため、書き込み要素５０２は、第２のデータトラック５０８に隣接している第１のデータトラック５０６を書き込みながら、第２のデータトラック５０８に重なり得る。第２のデータトラック５０８は次に上書きされるため、これがデータ記憶システムの動作に悪影響を及ぼすことはない。
【００４７】
図５Ｂを参照すると、一実施形態にかかる第２のデータトラック５０８への書き込みが示されている。書き込み要素５０２は、第２のデータトラック５０８にデータを書き込めるように、１トラック分シフトされた。明示のとおり、書き込み要素５０２は、第２のデータトラック５０８を書き込みながら、第２のデータトラック５０８に隣接する第３のデータトラック５１０に重なり得る。
【００４８】
このデータは、図５Ｃに示すとおり、第１のデータトラック５０６および第２のデータトラック５０８が読み戻されたときに両方のトラックが同時に読み出せるように同期されるため、読み出しを書き込みの２倍の速さで行うことができる。これは、明示のとおり、第１のデータトラック５０６および第２のデータトラック５０８内のビットをずらすことによって達成され得る。当業者が本記述を読めば理解できるとおり、他の技法が用いられてもよい。この技法の利点は、データトラックの２倍の幅のセンサー要素を使用してよく、そのために、大記憶容量ドライブを支持するために読み出しセンサー技術に要求される小型化要件を緩和するということである。
【００４９】
一実施形態によれば、例えば図１に描かれている磁気データ記憶システムは、書き込み要素、読み出し要素、またはその両方を有する少なくとも１つの磁気ヘッドと、磁気媒体（ビットパターン媒体など）と、磁気媒体に少なくとも１つの磁気ヘッドを通過させるための駆動機構と、少なくとも１つの磁気ヘッドに電気的に連結された、少なくとも１つの磁気ヘッドの動作を制御するためのコントローラと、を備えていてもよい。
【００５０】
再び図５Ｃを参照すると、一実施形態において、データは、隣接する少なくとも２つのデータトラックにデータ書き込む順序と、隣接する少なくとも２つのデータトラックからデータ読み出す順序とのうちの少なくとも１つに基づいて隣接する少なくとも２つのデータトラック５０６、５０８に書き込まれる少なくとも２つのグループに論理的に分割され得る。１つの手法では、磁気ヘッドに連結されたコントローラが、データを書き込む前に、隣接する少なくとも２つのデータトラック間にデータを論理的に分割し得る。当然のことながら、当業者であれば本記述を読めば理解できるとおり、隣接する少なくとも２つのデータトラック間でのデータの分割のされ方には、他の要因も考慮され得る。
【００５１】
引き続き図５Ｃを参照すると、一実施形態に従い、シングルパスにおける磁気媒体の隣接する少なくとも２つのデータトラック５０６、５０８から並行してデータを読み出すように適合させた読み出し要素５１２が示されている。１つの手法では、読み出し要素５１２が、隣接する少なくとも２つのデータトラック５０６、５０８を並行して読み出しながら、隣接する少なくとも２つのデータトラック５０６、５０８の上方に位置付けられてもよい。読み出し要素５１２は、例えば、２つのデータトラックの幅と同程度以上など、先の図５ＡにＴＷで示したトラック幅方向の１データトラックの幅よりも大きな幅Ｗ２を有してもよい。
【００５２】
加えて、一実施形態に従い、かつ図５Ａ〜図５Ｃに示すとおり、データトラック５０４は、ずれており、ビットの位相が１８０°異なる。当然のことながら、一度に３つ以上の隣接するトラックに対して書き込み／読み出しが実行されると、それに応じて、例えば３つのデータトラックの場合には１２０°、４つのデータトラックの場合には９０°という具合にトラックがずれる。これにより、データトラック間の干渉を最小限に抑えながら、データトラック間で書き込み／読み出しができるようになる。これは、ビットパターン記録媒体を使用することにより可能である。
【００５３】
ハイパートラックジオメトリおよびデバイスを使用した２トラック幅読み出しは、容量の損失が生じない。読み出し幅が３つあるいはそれ以上のトラックに増やされると、読み戻す時のデータビットの重複を防ぐためにダウントラック方向の間隔が約３３％増えるため、容量の損失に遭遇し得る。加えて、読み出し幅の拡張により、スキュー効果がより顕著になる。ただし、これらの構成は、本明細書に記載された実施形態および手法を用いて可能である。
【００５４】
例として、図６Ａ〜図６Ｂを参照すると、一実施形態にかかるトリプルパス書き込み、シングルパス読み出しシステムが示されている。このシステムは、磁気媒体の３つの隣接するデータトラック６０６、６０８、６１０にデータを連続して書き込むように適合させた書き込み要素６０２を備えており、例えば、データをトラックに書き込むのに３つのパスを要する。書き込み要素６０２は、データトラックＴＷよりもトラック幅方向に約２倍、３倍といった具合に広い幅Ｗ３を有し得る。一実施形態によれば、磁気媒体は、ビット・パターン・フォーマットで配置されたトラック６０４を有し得る。
【００５５】
いくつかの実施形態において、書き込み要素６０２は、第１のデータトラック６０６を書き込みながら、第２のデータトラック６０８（いくつかの実施形態では、第２のデータトラック６０８に隣接し、かつ第１のデータトラック６０６とは反対側にある第２のデータトラックの側にある第３のデータトラック６１０）に重なり得る。また、書き込み要素６０２は、第２のデータトラック６０８を書き込むときに、第３のデータトラック６１０（いくつかの実施形態では、さらに第４のデータトラックなど）に重なり得る。
【００５６】
図６Ｂに示すとおり、磁気媒体からデータを読み出すとき、読み出し要素６１２は、磁気媒体の３つの隣接するデータトラック６０６、６０８、６１０からシングルパスで並行してデータを読み出すように適合させてあってもよく、読み出し要素６１２は、図６ＡにＴＷで示すとおり、データトラックの幅よりもトラック幅方向に大きな幅Ｗ４を有する。
【００５７】
一実施形態によれば、データは、磁気媒体のトラックに書き込まれる前に、隣接する少なくとも２つのデータトラックからシングルパスで並行して読み出せるような方法で、少なくとも２つのパス間で隣接する少なくとも２つのデータトラックに連続して書き込めるように編成される。
【００５８】
１つの手法では、データが、隣接する少なくとも２つのデータトラックの各々から並行して読み出されたときに、隣接する少なくとも２つのデータトラックからのデータがインターリーブされて１つもしくは複数の連続するデータブロックを形成するように編成される。論理的には、トラックが読み戻されると、例えば、隣接する２つのトラックの場合にはビット密度の２倍、３つの隣接するトラックの場合にはビット密度の３倍といった具合に、ビット密度の増大により、少なくとも２つのトラックが１つのトラックであるかのようになる。
【００５９】
そのため、磁気媒体に書き込まれるデータが受け取られると、ステージングを経て、何らかの方法で書き込まれ、編成される。一実施形態によれば、１つおきのビットが、隣接する２つのデータトラックに書き込まれる２つのグループに編成されてもよい。当然のことながら、３つ以上の隣接するデータトラックが並行して読み出されると、対応するデータ分割数のグループが生成された後で書き込みが行われる。
【００６０】
データが編成されると、そのデータは、書き込み要素の少なくとも２つのパスで、少なくとも２つのデータトラックに連続して書き込まれ得る。一実施例では、隣接する２つのデータトラックが並行して読み出されると、データのビットが１つおきに第１のデータトラックに書き込まれ、他方のビットが第２のデータトラックに書き込まれる。その後、データが読み戻されると、第１のデータトラックからのビットが第２のデータトラックからのビットとインターリーブされて、２倍のデータレートを得る。
【００６１】
本明細書に記載されたどの実施形態および／または手法に従うにしても、磁気読み出しヘッドは、平面垂直電流（ＣＰＰ）ヘッド、平面電流（ＣＩＰ）ヘッド、トンネル型磁気抵抗（ＴＭＲ）ヘッド、巨大磁気抵抗（ＧＭＲ）ヘッドなど、あるいは当業者が本記述を読めば理解できるその他任意のヘッドであってよい。
【００６２】
図５Ａ〜図６Ｂに示すとおり、磁気ヘッドは、一切ゆがみがない状態で示されている。大半のハード・ディスク・ドライブで、スキュー効果が発生する。アクチュエータが、内径から外径へとトラック上のデータにアクセスするように磁気ヘッドを位置付ける。そのため、動作時において、表示されたパターンも、実際の動作では内径から外径にかけて歪曲される。
【００６３】
一実施形態では、データが、編成され、論理的に割り当てられた後に磁気媒体に書き込まれ、第１のトラックから第２のトラックに、その後その他任意のトラックへと書き込まれる。
【００６４】
図７を参照すると、一実施形態にかかる方法７００が示されている。各種実施形態によれば、方法７００は、図１〜図６Ｂに明示および記載された環境を含め、任意の所望環境で実施され得る。方法７００は、図７に記載された動作よりも多くの、あるいは少ない動作を含み得る。
【００６５】
動作７０２で、磁気媒体に書き込まれるデータが受け取られる。１つの手法では、この磁気媒体がビットパターン化されてもよい。
【００６６】
別の実施形態では、磁気媒体内のビットが、２つのどのビットもクロストラック方向の共通線沿いに存在しないように、ずらした向きで配置され得る。
【００６７】
他の実施形態では、磁気ヘッドのコントローラが、書き込まれるデータを受け取ってもよく、プロセッサがそのデータを受け取ってもよく、あるいは、当業者が本記述を読めば理解できるその他任意の受信装置またはモジュールが受け取ってもよい。
【００６８】
動作７０４で、磁気媒体の隣接するデータトラックに連続して書き込まれるデータは、その隣接するデータトラックから並行して読み戻されたときに再現可能であるように編成される。各種実施形態によれば、例えば２つ、３つ、４つなど、２つ以上の隣接するトラックが連続して書き込まれてもよい。
【００６９】
一実施形態によれば、データを編成することは、第１のトラックに書き込まれる第１のグループと、隣接するトラックの第２のトラックに書き込まれる第２のグループとにデータを分割することを含んでもよい。
【００７０】
別の実施形態では、データを編成することが、データを、そのデータを隣接する少なくとも２つのデータトラックに書き込む順序と、そのデータを隣接する少なくとも２つのデータトラックから読み出す順序とのうちの少なくとも１つに基づいて、隣接する少なくとも２つのデータトラックに書き込まれる少なくとも２つのグループに論理的に分割することを含んでもよい。
【００７１】
１つの手法では、第１のグループデータが第１のパスで第１のデータトラックに書き込まれてもよく、第２のグループデータが第２のパスで第２のデータトラックに書き込まれてもよい。この手法では、書き込まれた後、第２のグループデータのいずれかとのクロストラック方向の共通線に第１のグループデータがまったく存在せず、当業者であれば理解できるとおり、スキュー効果の原因となる。
【００７２】
動作７０６で、データの編成に従って、隣接するデータトラックにデータが連続して書き込まれる。一実施形態では、隣接するデータトラック内のデータがずれるようにデータが書き込まれる。例えば、２つのトラックが並行して読み戻されたときに、データが論理順に読み戻され、理解すべきさらなる処理が不要となるように、データのビットがそれらの２つのトラックの間で交互に書き込まれてもよい。
【００７３】
一実施形態では、シングル磁気記録を使用して、隣接するデータトラックにデータが連続して書き込まれてもよい。さらに、磁気媒体はビットパターン化されてもよい。
【００７４】
一実施形態では、データトラックの幅よりもトラック幅方向に大きな幅を有する磁気ヘッドの書き込み要素を使用して書き込みが実行されてもよい。一実施例では、書き込み要素の幅が、トラック幅方向の２つのデータトラックの幅と少なくとも同程度であってもよい。さらなる手法では、書き込み要素が、第１のデータトラックを書き込みながら第２のデータトラックと重なってもよい。さらには、書き込み要素が、第２のデータトラックを書き込みながら、第１のデータトラックとは反対側にある第２のデータトラックに隣接する第３のデータトラックと重なってもよい。
【００７５】
一実施形態によれば、方法７００は、隣接するデータトラックからシングルパスで並行してデータを読み出すことをさらに含んでもよい。
【００７６】
別の実施形態では、第１のグループデータが第１のデータトラックから読み出されてもよく、第２のグループデータが、読み出し要素、磁気ヘッドのセンサー要素などを使用してシングルパスで第２のデータトラックから読み出されてもよい。さらなる実施形態では、センサーまたは読み出し要素の幅が、トラック幅方向の２つのデータトラックの幅と少なくとも同程度であってもよい。センサー要素は、第１および第２のデータトラックを読み出しながら、第１および第２のデータトラックの上に位置付けられてもよく、データはシングルパスで隣接するデータトラックから読み出されてもよい。
【００７７】
そのため、ＨＤＤは、空き時間や利用可能な処理容量などを有するときに、ステージングゾーンからシングル記録ゾーン領域へとデータをオフロードするので、ユーザーには、はっきりとした性能上の影響がわからない。データをオフロードするのに空き時間の大半が使用された場合には、ユーザーがＨＤＤに別の処理を命令したときにＨＤＤがオフロード処理でビジー状態になるなど、何らかの影響が生まれる可能性がある。そのため、何らかの潜在的な影響はあるが、それが大半のユーザーおよび／またはアプリケーションに実際の下流影響を及ぼすことはないであろう。
【００７８】
その後のデータの読み出しに関しては、読み出しヘッドが一度に２トラック分のデータを読み出せるだけの広さとなるように設計されているため、図５Ｃおよび図６Ｂに示すとおり、読み出し処理が、書き込み処理に比して倍数のデータレート（例えば、２倍のデータレート、３倍のデータレートなど）であっても、１パスで行われる。これにより、読み出しヘッドの幅を書き込まれたデータトラックの２倍にすることもできるため、シングル書き込みによって書き込みヘッドのトラック幅で得られたものと同様のトラック幅の余裕が読み出しヘッドに与えられる。このアーキテクチャは、本明細書において記載された影響以外、既存のシングルＨＤＤの性能にほとんど影響しない。
【００７９】
このアーキテクチャの他の付加的な便益は、線記録密度（ＢＰＩ）動作が低いことから、書き込み処理が広い許容誤差を有することを含む。誤って書き込まれたデータは、読み出し不良データよりもはるかに回復が難しいので、書き込み処理の方が重要度が高い。また、読み出し処理がデータレートの２倍を有するため、データ取得コマンドがアンシングル・バッファ・コンテンツ領域に位置しないデータをリクエストしたとき、およびシングルゾーンに位置するデータを読み出す必要がある場合の性能が高まる。
【００８０】
さらに多くの実施形態において、本明細書に記載された実施形態および手法は、電流垂直磁気記録、熱アシスト記録、マイクロ波アシスト磁気記録など、他のＨＤＤ記録技術で実装されてもよい。隣接するデータビットが、本明細書に記載されているものと同じずれ構成でＢＰＲによって書き込まれるため、これらの記録技術を用いて、隣接するトラック間の許容読み出し干渉で、読み出しセンサーによる２（あるいはそれ以上の）トラック幅読み出しを実現してもよい。ただしこれらの付加的な技術は、連続する媒体に基づいており、ＢＰＲのようにデータビット間に死角（死空間）を有しないことから、ＢＰＲと併用された場合よりも、隣接するトラックの干渉効果がより顕著になるであろう。ただし、これは決して、本明細書に記載されている実施形態および手法の応用範囲をこれらの記録技術に制限するものではない。
【００８１】
以上、各種実施形態を記載してきたが、それらは例示目的で提示されており、限定目的でないという点は理解すべきである。そのため、本発明の実施形態の幅および範囲は、上記例示的な実施形態のいずれによっても制限されるべきでなく、以下の請求項とそれらの均等物とに従ってのみ定義されるべきである。
【符号の説明】
【００８２】
１００  ディスクドライブ
１１２  回転型磁気ディスク
１１３  スライダ
１１４  スピンドル
１１５  サスペンション
１１８  ディスク・ドライブ・モーター
１１９  アクチュエータアーム
１２１  磁気読み出し／書き込みヘッド
１２２  ディスク表面
１２５  記録チャネル
１２７  アクチュエータ
１２８  ライン
１２９  コントローラ
２００  支持基板
２０２  重層コーティング
２０４  従来の記録／再生ヘッド
２１２  下層
２１４  重層コーティング
２１６  基板
２１８  垂直ヘッド
３０２  上側の戻り磁極
３０４  トレーリングシールド
３０６  主磁極
３０８  ステッチ磁極
３１０  螺旋コイル
３１２  螺旋コイル
３１４  下側の戻り磁極
３１６  絶縁材
３１８  ＡＢＳ
３２２  センサーシールド
３２４  センサーシールド
３２６  センサー要素
４０２  上側の戻り磁極
４０４  トレーリングシールド
４０６  主磁極
４０８  ステッチ磁極
４１０  環状コイル
４１６  絶縁材
４２２  センサーシールド
４２４  センサーシールド
４２６  センサー要素
５０２  書き込み要素
５０４  データトラック
５０６  第１のデータトラック
５０８  第２のデータトラック
５１０  第３のデータトラック
５１２  読み出し要素
６０２  書き込み要素
６０４  トラック
６０６  第１のデータトラック
６０８  第２のデータトラック
６１０  第３のデータトラック
６１２  読み出し要素
【図１】
2013080552.tif 000003
【図２Ａ】
2013080552.tif 000004
【図２Ｂ】
2013080552.tif 000005
【図２Ｃ】
2013080552.tif 000006
【図２Ｄ】
2013080552.tif 000007
【図２Ｅ】
2013080552.tif 000008
【図３Ａ】
2013080552.tif 000009
【図３Ｂ】
2013080552.tif 000010
【図４Ａ】
2013080552.tif 000011
【図４Ｂ】
2013080552.tif 000012
【図５Ａ】
2013080552.tif 000013
【図５Ｂ】
2013080552.tif 000014
【図５Ｃ】
2013080552.tif 000015
【図６Ａ】
2013080552.tif 000016
【図６Ｂ】
2013080552.tif 000017
【図７】
2013080552.tif 000018